(57)【要約】      （修正有）【課題】音を必ずしも医師が聞くことなく、コンピュータによる診断を行うことのできる聴診器を提供する。【解決手段】患者に接触して収音するためのダイアフラム３を有するチェストパッド２と、ダイアフラム３によって収音された音をデータ化して又はデータ化せずに送信する音送信部４とを備える、聴診器１を提供し、チェストパッド２の周縁に、チェストパッド２を患者に向けて押圧し、ダイアフラム３を患者に接触させて固定する吸盤を備えることができる。【選択図】図１
0003222551.tif 000002
【実用新案登録請求の範囲】
【請求項１】
患者に接触して収音するためのダイアフラムを有するチェストパッドと、
前記ダイアフラムよって収音された音をデータ化して又はデータ化せずに送信する音送信部とを備えることを特徴とする、聴診器。
【請求項２】
前記チェストパッドの周縁に、前記チェストパッドを患者に向けて押圧し、前記ダイアフラムを患者に接触させて固定する吸盤を備えることを特徴とする、請求項１に記載の聴診器。
【請求項３】
前記音を医師が聞くために伝達する送音チューブを有さないことを特徴とする、請求項１又は２に記載の聴診器。
【請求項４】
前記音送信部は、無線通信によって送信することを特徴とする、請求項１〜３のいずれか１項に記載の聴診器。
【考案の詳細な説明】
【技術分野】
【０００１】
本考案は、聴診器に関する。
【背景技術】
【０００２】
医療機関において、呼吸、心臓の鼓動等に基づいて発生される音を聞いて診断を行うために、聴診器が用いられている。聴診器には、収音のためのダイアフラム及び医師が音を聞くための送音チューブが設けられている。
【０００３】
送音チューブを設けずに、スピーカ等から音を出力することもできる。特許文献１には、ダイアフラムからの音を外部に出力する聴診器が開示されている。
【先行技術文献】
【特許文献】
【０００４】
【特許文献１】特開２０１６−１７９１７７号公報
【考案の開示】
【考案が解決しようとする課題】
【０００５】
本考案は、音を必ずしも医師が聞くことなく、コンピュータによる診断を行うことのできる聴診器を提供することを課題とする。
【課題を解決するための手段】
【０００６】
本考案の聴診器は、
患者に接触して収音するためのダイアフラムを有するチェストパッドと、
前記ダイアフラムよって収音された音をデータ化して又はデータ化せずに送信する音送信部とを備えることを特徴とする。
【０００７】
この特徴によれば、音をコンピュータに送信することができる。
【０００８】
本考案の聴診器は、
前記チェストパッドの周縁に、前記チェストパッドを患者に向けて押圧し、前記ダイアフラムを患者に接触させて固定する吸盤を備えることを特徴とする。
【０００９】
この特徴によれば、吸盤によってダイアフラムを固定し、長時間（例えば３分間）の連続収音を容易に行うことができる。
【００１０】
本考案の聴診器は、
前記音を医師が聞くために伝達する送音チューブを有さないことを特徴とする。
【００１１】
この特徴によれば、送音チューブを有さないコンパクトな聴診器となる。
【００１２】
本考案の聴診器は、
前記音送信部は、無線通信によって送信することを特徴とする。
【００１３】
この特徴によれば、送信のためのケーブルがなくなり、よりコンパクトな聴診器となる。
【考案の効果】
【００１４】
本考案によれば、音を必ずしも医師が聞くことなく、コンピュータによる診断を行うことのできる聴診器が提供される。
【図面の簡単な説明】
【００１５】
【図１】図１は、聴診器の構成を示す図である。（実施例１）
【図２】図２は、音送信部の構成例を示す図である。（実施例１）
【図３】図３は、診断を行うサーバの構成例を示す図である。（実施例１）
【図４】図４は、聴診器の構成を示す図である。（実施例２）
【図５】図５は、聴診器の構成を示す図である。（実施例３）
【考案を実施するための形態】
【００１６】
以下、本考案の実施例を説明する。
【実施例１】
【００１７】
図１は、聴診器の構成を示す図である。聴診器１は、チェストパッド２に送音チューブ５が接続されている。チェストパッド２の一面にダイアフラム３が設けられ、ダイアフラム３によって収音する。収音された音は、送信部４によって処理され、合わせて送信チューブ５に送られる。送信チューブ５の他端には、医師の耳に入れるイヤーパッド６が付されている。
【００１８】
図２は、音送信部の構成例を示す図である。音送信部４は、ダイアフラム３に近接して設けられ、ダイアフラム３が収音した音を入力する。音送信部４は、図２（Ａ）に示すように、音送信部によってアナログデータの音を送信してもよい。また、図２（Ｂ）に示すように、Ａ／Ｄ変換を行って、データ送信部によってデジタルデータの音を送信してもよい。さらに、図２（Ｃ）に示すように、音から特徴量（例えば周波数特性）を抽出して、データ送信部によってデジタルデータとしての特徴量を送信してもよい。
【００１９】
アナログデータを送信する場合には通信線を用いると考えられる（通信線を用いない音声送信も可能ではあるが、考慮しない）。これに対し、データ送信部によってデジタルデータを送信する場合には、公知の無線データ通信が利用でき、無線通信によることが容易である。
【００２０】
図３は、診断を行うサーバの構成例を示す図である。ただし、一例であり、これに限定されるものではない。サーバ１０は、特徴量データ１１を、音デー１２と対照して診断を行う。ここで、音データ１２は、多くの患者（診断対象の症状を有する者と有さない者を含む）から採取されたいわゆるビッグデータである。
【００２１】
サーバ１０は、音のアナログデータ、音のデジタルデータ、特徴量のデータを受信し得る。音のアナログデータはＡ／Ｄ変換によって音のデジタルデータとなり、音のデジタルデータは特徴量抽出によって特徴量データ１１となる。なお、受信するデータの種類を固定し、それのみに対応するようにしてもよい。
【００２２】
ここで、特徴量としていかなる値を用いるかは、診断対象の症状に依存して変動するので、本考案では限定しない。特定周波数帯域の音量、繰り返される音の周期等が考えられる。音データに対して症状有無の教師付き学習を行い、ＡＩを用いて診断することがあり、特徴量がＡＩによって導出されることもある。
【００２３】
以上詳細に説明したように、本実施例の聴診器１によれば、音のアナログデータ、音のデジタルデータ、特徴量のデータを無線送信することができ、サーバ１０における診断を行うことができる。
【実施例２】
【００２４】
本実施例は、送音チューブを有さない聴診器を説明するものである。送音チューブを有さない点を除き、実施例１と同様であるので詳細な説明を省略する。
【００２５】
図４は、聴診器の構成を示す図である。図４（Ａ）に示すように、聴診器１は、実施例１のものと比較し、送音チューブ５及びイヤーパッド６が設けられていない。
【００２６】
図４（Ｂ）には、有線通信のための通信ケーブルが付された状態を示す。
【００２７】
以上説明したように、本実施例の聴診器１は、送信チューブを有さないことで、コンパクトな形状となる。
【実施例３】
【００２８】
本実施例は、吸盤を備える聴診器を説明するものである。吸盤を備える点を除き、実施例２と同様であるので詳細な説明を省略する。
【００２９】
図５は、聴診器の構成を示す図である。図５（Ａ）に示す聴診器１は、図２（Ａ）に示した聴診器に吸盤８を付したものである。吸盤８は、下方に開いた略円錐台形状のパイプであり、下方に押すと、内部の空気が排出されて下方の物体に吸着する。
【００３０】
図５（Ｂ）に吸着の状況を示す。上方に見られるように単にチェストパッド２を皮膚９に載置してもダイアフラム３が皮膚９から遊離している場合があり得る。そこで、吸盤８を上方から圧縮する。これにより、吸盤８と皮膚９との間の空気が排出されて低圧になり、吸盤８が皮膚９に吸着された下方に見られる状態になる。そして、ダイアフラム３が皮膚９に密着した状態が維持される。
【００３１】
長時間（例えば３分間）の音を取得したい場合、医師その他の人手でダイアフラム３が皮膚９に接触した状態を保つことは容易でない。
【００３２】
以上説明したように、本実施例の聴診器１は、吸盤８によってダイアフラム３が皮膚９に密着した状態が維持される。長時間の音を取得したい場合に好適である。
【産業上の利用可能性】
【００３３】
音を必ずしも医師が聞くことなく、コンピュータによる診断を行うことのできる聴診器である。多くの医療機関における利用が考えられる。
【符号の説明】
【００３４】
１      聴診器
２      チェストパッド
３      ダイアフラム
４      音送信部
５      送音チューブ
６      イヤーパッド
７      通信ケーブル
８      吸盤
９      皮膚
１０    サーバ
１１    特徴量データ
１２    音データ
【図１】
0003222551.tif 000003
【図２】
0003222551.tif 000004
【図３】
0003222551.tif 000005
【図４】
0003222551.tif 000006
【図５】
0003222551.tif 000007